(57)【要約】【課題】  水槽に設置するバランスウェイト装置の個数を減少させることで組立工程数を減少させ、ドラム洗濯機の組立効率を向上できるドラム洗濯機を提供し、回転槽の偏心回転の程度を減少できるドラム洗濯機を提供し、及び、水槽の左右の重さの均衡を容易に維持できるドラム洗濯機を提供すること。【解決手段】  水槽１１と、前記水槽１１内に設置される回転槽１２と、前記回転槽１２から前記水槽１１を貫通して前記水槽１１の外部に延在する回転軸３０と、前記回転軸３０を支持するために、前記水槽１１に設置されるベアリングハウジング５０と、前記ベアリングハウジング５０を前記水槽１１に固定し、前記回転槽１２の偏心回転によって発生する振動を低減させるバランスウェイトとしての機能をするベアリングハウジングブラケット６０と、を含んでドラム洗濯機を構成する。【選択図】  図１
2006212416.tif 000002
【特許請求の範囲】
【請求項１】
水槽と、
前記水槽内に設置される回転槽と、
前記回転槽から前記水槽を貫通して前記水槽の外部に延在する回転軸と、
前記回転軸を支持するために、前記水槽に設置されるベアリングハウジングと、
前記ベアリングハウジングを前記水槽に固定し、かつ、前記回転槽の偏心回転によって発生する振動を低減させるバランスウェイトとしての機能をするベアリングハウジングブラケットと、
を含むことを特徴とするドラム洗濯機。
【請求項２】
前記ベアリングハウジングブラケットとは別途に、水槽に着脱自在に固着される分離型バランスウェイトを含むことを特徴とする、請求項１に記載のドラム洗濯機。
【請求項３】
前記ベアリングハウジングブラケット及び分離型バランスウェイトは、前記水槽の後面に装着されることを特徴とする、請求項２に記載のドラム洗濯機。
【請求項４】
前記ベアリングハウジングブラケットの重さは、前記分離型バランスウェイトの重さの３倍以上であることを特徴とする、請求項３に記載のドラム洗濯機。
【請求項５】
前記ベアリングハウジングブラケットは、鋳鉄によって製造されることを特徴とする、請求項１に記載のドラム洗濯機。
【請求項６】
前記ベアリングハウジングブラケットは、
前記ベアリングハウジングを貫通させるために中央部に形成された開口部と、
前記ベアリングハウジングブラケットを前記水槽の後面に固定するために、ファスナーを貫通させる複数個の締結ホールが形成された縁部と、
を含むことを特徴とする、請求項５に記載のドラム洗濯機。
【請求項７】
前記ベアリングハウジングブラケットの厚さは、前記開口部から縁部に行くほど徐々に減少することを特徴とする、請求項６に記載のドラム洗濯機。
【請求項８】
前記水槽は、前面から後面に行くほど下方に傾斜した状態でハウジングに固定されることを特徴とする、請求項１に記載のドラム洗濯機。
【請求項９】
前記ベアリングハウジング及びベアリングハウジングブラケットは、一体に形成されることを特徴とする、請求項１に記載のドラム洗濯機。
【発明の詳細な説明】
【技術分野】
【０００１】
本発明は、ドラム洗濯機に関するもので、詳しくは、ドラム洗濯機の水槽の後面に装着されるベアリングハウジングブラケットに関するものである。
【背景技術】
【０００２】
一般に、ドラム洗濯機は、駆動モーターの回転力を用いて回転槽を回転することで、洗濯物の洗濯を行い、回転槽を高速に回転することで、洗濯物の脱水を行う。ここで、ドラム洗濯機における洗濯物の脱水は、ドラム状の回転槽の高速回転によってドラム洗濯機内の洗濯物に遠心力を加えることによって、洗濯物から水気を遠心分離して行う。このように回転槽の高速回転によって脱水過程が行われるとき、回転槽内の洗濯物の片寄りによって激しい振動及び騷音が発生するが、この振動を防止するために、ドラム洗濯機にバランスウェイト装置が装着される。一般に、このバランスウェイト装置は、水槽の前面及び後面にボルトによってそれぞれ固定される。
【０００３】
特許文献１には、上記のように、水槽の前面及び上面にバランスウェイト装置をそれぞれ装着したドラム洗濯機が開示されている。
【０００４】
しかしながら、前記バランスウェイト装置が水槽の前面及び上面に多数個装着されることで、ドラム洗濯機の部品数が多くなり、ドラム洗濯機の組立工程数が増加し、よって、ドラム洗濯機の組立効率が低下するという問題点があった。
【０００５】
また、ドラム洗濯機にバランスウェイト装置を装着するとしても、回転槽の高速回転時、洗濯物の片寄りによって回転槽の偏心回転が発生することで、回転軸を支持するベアリングハウジングに歪みが生じ、この歪みが水槽に伝達されて水槽にクラックが発生するという問題点があった。
【０００６】
また、多数個のバランスウェイト装置を水槽に装着したため、水槽の左右の重さの均衡を維持しにくくなるという問題点があった。
【特許文献１】大韓民国登録実用新案公報２０−０１４５３７１号
【発明の開示】
【発明が解決しようとする課題】
【０００７】
本発明は、上記の問題点を解決するためになされたもので、水槽に設置するバランスウェイト装置の個数を減少させることで組立工程数を減少し、ドラム洗濯機の組立効率を向上できるドラム洗濯機を提供することを目的とする。
【０００８】
また、回転槽の偏心回転の程度を減少できるドラム洗濯機を提供することを目的とする。
【０００９】
また、水槽の左右の重さの均衡を容易に維持できるドラム洗濯機を提供することを目的とする。
【課題を解決するための手段】
【００１０】
上記の目的を達成するために、本発明によるドラム洗濯機は、水槽と、前記水槽内に設置される回転槽と、前記回転槽から前記水槽を貫通して前記水槽の外部に延在する回転軸と、前記回転軸を支持するために、前記水槽に設置されるベアリングハウジングと、前記ベアリングハウジングを前記水槽に固定し、かつ、前記回転槽の偏心回転によって発生する振動を低減させるバランスウェイトとしての機能をするベアリングハウジングブラケットと、を含むことを特徴とする。
【００１１】
また、前記ベアリングハウジングブラケットとは別途に、水槽に着脱自在に固着される分離型バランスウェイトを含むことを特徴とする。
【００１２】
また、前記ベアリングハウジングブラケット及び分離型バランスウェイトは、前記水槽の後面に装着されることを特徴とする。
【００１３】
また、前記ベアリングハウジングブラケットの重さは、前記分離型バランスウェイトの重さの３倍以上であることを特徴とする。
【００１４】
また、前記ベアリングハウジングブラケットは、鋳鉄によって製造されることを特徴とする。
【００１５】
また、前記ベアリングハウジングブラケットは、前記ベアリングハウジングを貫通させるために中央部に形成された開口部と、前記ベアリングハウジングブラケットを前記水槽の後面に固定するために、ファスナーを貫通させる複数個の締結ホールが形成された縁部と、を含むことを特徴とする。
【００１６】
また、前記ベアリングハウジングブラケットの厚さは、前記開口部から縁部に行くほど徐々に減少することを特徴とする。
【００１７】
また、前記水槽は、前面から後面に行くほど下方に傾斜した状態でハウジングに固定されることを特徴とする。
【００１８】
また、前記ベアリングハウジング及びベアリングハウジングブラケットは、一体に形成されることを特徴とする。
【発明の効果】
【００１９】
本発明によるドラム洗濯機は、ベアリングハウジングブラケットがバランスウェイトの機能をするため、水槽に固着されたバランスウェイトの個数を減少させることで、従来のドラム洗濯機に比べ、組立工程数を減少させ、ドラム洗濯機の組立効率を向上できるという効果を奏する。
【００２０】
また、水槽の重心を回転軸に近接させることで、回転槽の偏心回転の程度を減少できるという効果がある。
【００２１】
また、ベアリングハウジングブラケットとは別途に、水槽の後面に着脱自在に固着したバランスウェイトを用いることで、水槽の左右の重さの平衡を容易に維持できるという効果がある。
【発明を実施するための最良の形態】
【００２２】
以下、本発明の好ましい実施形態を図面に基づいて説明する。
【００２３】
本発明によるドラム洗濯機は、図１に示すように、ドラム洗濯機の外観をなすハウジング１０と、このハウジング１０の内部に設置されて洗濯水を収容する水槽１１と、この水槽１１の内部に回転自在に設置されて洗濯物の洗濯を行う回転槽１２と、を含んでいる。
ハウジング１０の内部にドラム状の回転槽１２を内蔵した水槽１１は、サスペンションスプリング１４及びサスペンションアーム１５によってハウジング１０に固定される。水槽１１の両側面は、二つのサスペンションスプリング１４によってハウジング１０の上部に固定され、水槽１１の下部は、四つのサスペンションアーム１５によって弾性的に支持されてハウジング１０の下部に固定される。水槽１１の前側下部を支持する前側サスペンションアーム１５ａの長さは、水槽１１の後側下部を支持する後側サスペンションアーム１５ｂより長く、水槽１１は、前面１１ｂから後面１１ａに行くほど下方に傾斜した状態でハウジング１０に固定される。
【００２４】
このような水槽１１の傾斜構造によると、使用者が水槽１１から洗濯物を容易に取り出せるとともに、回転槽１２を回転しながら支持する回転軸３０に重さを集中させることで、回転槽１２の回転時、回転槽１２の偏心回転の程度が減少する。
【００２５】
ハウジング１０の前面部には、回転槽１２内に洗濯物を投入させるための開口部１７が形成され、この開口部１７には、開閉自在のドア１９が設置される。また、水槽１１の上部には、給水を制御するための給水バルブ２１と、水槽１１内に洗剤を供給するための洗剤供給装置２２と、が設置され、水槽１１の下部には、水槽１１内の水を排水するための開閉自在の排水バルブ２３と、水槽１１内の水を強制的に外部に排水するための排水ポンプ２４と、が設置される。
【００２６】
回転槽１２の周面には、洗濯水を循環させるための多数個の通孔２５が形成され、回転槽１２の内面には、回転槽１２内の洗濯物を上昇及び落下するための複数個のリフター２６が設置される。
【００２７】
回転槽１２は、後面中心部に固定された回転軸３０が水槽１１の後面部によって支持されることで、水槽１１内で回転可能な状態になる。回転軸３０の後端部は、プーリー３１に固定され、このプーリー３１は、ベルト３２によってハウジング１０の下部に設置された駆動モーター３３に連結されることで、駆動モーター３３の動力が回転軸３０に伝達される。
【００２８】
水槽１１の後面には、回転軸３０を支持するとともに、回転軸３０を回転可能な状態で貫通させるために、内周面にベアリング部材３４を内蔵したベアリングハウジング５０が設置される。このベアリングハウジング５０を水槽１１に堅固に固着するためには、それらの間に介在するベアリングハウジングブラケット６０が用いられる。
【００２９】
以下、本発明によるベアリングハウジングブラケット６０によるベアリングハウジング５０と水槽１１との結合構造及びベアリングハウジングブラケット６０の特性を、図２ないし図５に基づいて説明する。
【００３０】
図２に示すように、水槽１１の後面１１ａの中心部には、回転軸３０を支持するとともに、回転軸３０を回転可能な状態で貫通させるために、内周面にベアリング部材３４を内蔵したベアリングハウジング５０が設置される。
【００３１】
ベアリングハウジング５０は、ベアリング部材３４を内蔵して水槽１１の後面１１ａから突出した本体部５１と、水槽１１の後面１１ａに接する縁部５２と、を備えている。
【００３２】
ベアリングハウジングブラケット６０は、円盤状をなしており、ベアリングハウジング５０の本体部５１を貫通させるための開口部６１がベアリングハウジングブラケット６０の中央部に形成される。前記開口部６１の周囲に形成された結合部６３には、複数個の締結ホール６５が形成されており、結合部６３は、これら締結ホール６５を通して縁部５２に固定される。また、前記ベアリングハウジングブラケット６０の縁部６２には、複数個の締結ホール６６が形成されており、縁部６２は、これら締結ホール６６を通して水槽１１の後面１１ａに固定される。
【００３３】
ベアリングハウジングブラケット６０を水槽１１の後面１１ａに固定するために、ベアリングハウジングブラケット６０の開口部６１を通してベアリングハウジング５０の本体部５１を貫通させた後、ベアリングハウジングブラケット６０の結合部６３に形成された締結ホール６５と、ベアリングハウジング５０の縁部５２に形成した締結ホール５５と、をボルト６４などのファスナーによって締結することで、ベアリングハウジング５０とベアリングハウジングブラケット６０とが結合する。
【００３４】
上記のようにベアリングハウジング５０とベアリングハウジングブラケット６０とが結合すると、ベアリングハウジングブラケット６０の縁部６２に形成された複数個の締結ホール６６は、水槽１１の後面１１ｂに形成された複数個の締結ホール１８と一致するようになり、ボルト６８などのファスナーによって締結ホール１８に容易に締結される。
【００３５】
上記のように、ベアリングハウジング５０とベアリングハウジングブラケット６０とが結合し、ベアリングハウジングブラケット６０と水槽１１の後面１１ａとが結合することで、ベアリングハウジング５０は、水槽１１に堅固に固定される。
【００３６】
ベアリングハウジングブラケット６０が水槽１１に固定された状態で、回転軸３０がプーリー３１に挿入され、ボルト７３が回転軸３０に挿入されると、プーリー３１が回転軸３０から抜け出ることを防ぐように回転軸３０とプーリー３１とが結合される。
【００３７】
本実施形態のドラム洗濯機のベアリングハウジングブラケット６０は、ベアリングハウジング５０を水槽１１に結合する役割をする。さらに、洗濯物の脱水時に回転槽１２が高速に回転すると、洗濯物が一方に片寄って発生する回転槽１２の偏心回転によって激しい振動及び騷音が発生するが、この振動を防止するために、ベアリングハウジングブラケット６０は、水槽１１に重さを与えるバランスウェイトとしての役割もする。ベアリングハウジングブラケット６０がバランスウェイトとしての役割をするためには、少なくとも一定の重さが必要となるが、本実施形態では、ベアリングハウジングブラケット６０の重さを６ｋｇ±２００ｇに設定した。約６ｋｇの重さを有するためには、ベアリングハウジングブラケット６０が相当の厚さを有するべきであるが、そのために、ベアリングハウジングブラケット６０は、鋳造によって製造することが好ましい。また、ベアリングハウジングブラケット６０は、小さな体積及び大きな重さを必要とするため、高い比重を有する材料によって製造することが好ましい。また、ベアリングハウジングブラケット６０は、優れた鋳造性及び約７．５程度の比重を有する鋳鉄によって製造することが好ましい。
【００３８】
前記ベアリングハウジングブラケット６０と別途に設けたバランスウェイト７０は、ボルト７１によって水槽１１の後面１１ａに着脱自在に固着される。
【００３９】
上記のように、バランスウェイトとしての役割をするベアリングハウジングブラケット６０及びバランスウェイト７０は、水槽１１の後面１１ａに固着される。バランスウェイトとしての役割をする重い部材６０，７０を水槽１１の後面１１ａに集中させることで、水槽１１が安定する。上記の構成によると、水槽１１が下方に傾斜した状態でハウジング１０に固定されるため、水槽１１の後面１１ａが水槽１１の前面１１ｂより低くなる。
【００４０】
また、回転槽１２を回転させながら支持する回転軸３０の近くに水槽１１の重心を位置させることで、回転槽１２の回転時に発生する回転槽１２の偏心回転の程度を減少できる。回転槽１２の高速回転時、洗濯物の片寄りによって回転槽１２の偏心回転が発生することで、回転軸３０を支持するベアリングハウジング５０に歪みが生じる。通常、この歪みが水槽１１に伝達されると、水槽１１の後面１１ａにクラックが発生するが、本実施形態のように、回転軸３０の中心となる水槽１１の後面１１ａの中心部に重いベアリングハウジングブラケット６０及びバランスウェイト７０を設置することで、回転槽１２の偏心回転の程度を減少させ、かつ、水槽１１の後面１１ａに発生するクラックを防止できる。
【００４１】
図３は、本発明によるドラム洗濯機のベアリングハウジングとベアリングハウジングブラケットとの結合状態を示す斜視図である。
【００４２】
図３に示すように、ベアリングハウジング５０は、ベアリングハウジングブラケット６０によって取り囲まれた状態で、水槽１１の後面１１ａに容易に固定される。ベアリングハウジングブラケット６０は、水槽１１の後面１１ａに複数個のボルト６８によって一体に結合することで、回転槽１２の偏心回転によって生じた回転軸３０の歪みにより水槽１１の後面１１ａに発生するクラックを防止できる。
【００４３】
バランスウェイト７０は、水槽１１の後面１１ａの左側上部に設置されるが、このようにすると、水槽１１の右側にヒーター(図示せず)などの重い装置を設置することで、水槽１１の左右の重さの均衡を維持できる。ここで、バランスウェイト７０は、水槽１１の振動を低減させるために、水槽１１に重さを与えて水槽１１の左右の重さの均衡を維持する役割をする。
【００４４】
水槽１１の後面１１ａには、バランスウェイト７０の装着位置を変えるために、所定間隔だけ離隔した複数個の締結ホール５３が形成される。
【００４５】
前記実施形態とは異なって、重い装置を水槽１１の他側に設置する場合、前記バランスウェイト７０は、水槽１１の両側間の重さの均衡を維持するために、重い装置の反対側に設置される。
【００４６】
本発明において、主に、ベアリングハウジングブラケット６０がバランスウェイトとしての役割をし、ベアリングハウジングブラケット６０と別途に設けたバランスウェイト７０は、ベアリングハウジングブラケット６０の機能を補助して水槽１１の左右の重さの均衡を維持する。このような理由で、前記ベアリングハウジングブラケット６０の重さは、バランスウェイト７０の重さの３倍以上であることが好ましい。
【００４７】
図４は、本発明の第１実施形態によるベアリングハウジングとベアリングハウジングブラケットとの結合構造を示す断面図である。
【００４８】
図４に示すように、ベアリングハウジング５０とベアリングハウジングブラケット６０と水槽１１の後面１１ａとを一体に結合するために、ベアリングハウジング５０を水槽１１の後面１１ａに挿入した後、ベアリングハウジングブラケット６０がボルト６４によってベアリングハウジング５０に固定される。最終的に、ベアリングハウジングブラケット６０を水槽１１の後面１１ａにボルト６８によって締結することで、三つの部材の固定が終了する。
【００４９】
図４に示すように、ベアリングハウジングブラケット６０の厚さは、開口部６１から縁部６２に行くほど徐々に減少するが、このベアリングハウジングブラケット６０の減少した厚さは、回転軸３０に近い部分に重さを集中させることで、回転槽１２の偏心回転の程度を減少させる。
【００５０】
図５は、本発明の第２実施形態によるベアリングハウジングとベアリングハウジングブラケットとの結合構造を示す断面図である。
【００５１】
図５に示すように、ベアリングハウジング５０と、バランスウェイトとしての役割をするベアリングハウジングブラケット６０と、を一体に形成する。ベアリングハウジング５０とベアリングハウジングブラケット６０とを一体に組み立てて得られた組立体７０を形成することで、二つの部材５０，６０を結合するためのボルト等の構成要素を削減することで、ドラム洗濯機の組立工程数を削減し、かつ、生産性を向上できる。
【図面の簡単な説明】
【００５２】
【図１】本発明によるドラム洗濯機を示す縦断面図である。
【図２】本発明によるドラム洗濯機のベアリングハウジングとベアリングハウジングブラケットとの結合構造を示す分解斜視図である。
【図３】本発明によるドラム洗濯機のベアリングハウジングとベアリングハウジングブラケットとの結合状態を示す斜視図である。
【図４】本発明の第１実施形態によるベアリングハウジングとベアリングハウジングブラケットとの結合構造を示す断面図である。
【図５】本発明の第２実施形態によるベアリングハウジングとベアリングハウジングブラケットとの結合構造を示す断面図である。
【符号の説明】
【００５３】
１０  ハウジング
１１  水槽
１１ａ  水槽の前面
１１ｂ  水槽の後面
１２  回転槽
１４  サスペンションスプリング
１５  サスペンションアーム
１５ａ  前側サスペンションアーム
１５ｂ  後側サスペンションアーム
１７  開口部
１８  複数個の締結ホール
１９  ドア
２１  給水バルブ
２２  洗剤供給装置
２３  排水バルブ
２４  排水ポンプ
２５  通孔
２６  リフター
３０  回転軸
３１  プーリー
３２  ベルト
３３  駆動モーター
３４  ベアリング部材
５０  ベアリングハウジング
５１  本体部
５２  縁部
５３、５５  締結ホール
６０  ベアリングハウジングブラケット
６１  開口部
６２  縁部
６３  結合部
６４、６８、７３  ボルト
６５  締結ホール
６６  複数個の締結ホール
７０  バランスウェイト
【図１】
2006212416.tif 000003
【図２】
2006212416.tif 000004
【図３】
2006212416.tif 000005
【図４】
2006212416.tif 000006
【図５】
2006212416.tif 000007